(57)【要約】【課題】、第一に、プリーツスカートの丈を、ベルトを折り返して短くすることが出来ないようにし、また、第二に、裾のまつり解きによるたくし上げを防止すること。【解決手段】円筒状に互いに逢着したプリーツスカート表生地１及びプリーツスカート裏生地２を、その上端部１Ａ、２Ａを内側に折り返してプリーツ折り返し部３を形成し、前記プリーツ折り返し部３に、該プリーツ折り返し部３が、ベルト６よりも下方に延長されている状態でベルト６を逢着する。【選択図】  図４
2006028719.tif 000002
【特許請求の範囲】
【請求項１】
プリーツスカートの縫製方法であって、
円筒状に互いに逢着したプリーツスカート表生地１及びプリーツスカート裏生地２を、その上端部１Ａ、２Ａを内側に折り返してプリーツ折り返し部３を形成し、
前記プリーツ折り返し部３に、該プリーツ折り返し部３が、ベルト６よりも下方に延長されている状態でベルト６を逢着する、
プリーツスカートの縫製方法。
【請求項２】
上記プリーツスカート表生地１及びプリーツスカート裏生地２の下端部１Ｂ，２Ｂにおいて、所定の柄５が位置されている、
請求項１のプリーツスカートの縫製方法。
【請求項３】
請求項１又は請求項２の方法によって縫製されたプリーツスカート。
【請求項４】
プリーツスカートであって、
円筒状に互いに逢着したプリーツスカート表生地１及びプリーツスカート裏生地２の上端部１Ａ、２Ａを内側に折り返してプリーツ折り返し部３を設け、
前記プリーツ折り返し部３の上端部３Ａにベルト６が逢着され、
前記プリーツ折り返し部３が前記ベルト６よりも下方に延長されている、
プリーツスカート。
【発明の詳細な説明】
【技術分野】
【０００１】  本発明は、学生服等として一般的なプリーツスカートの縫製方法とプリーツスカートに関する。
【背景技術】
【０００２】  プリーツスカートは、プリーツの存在により華麗な感じが好まれ、これと対照的なタイトスカート等と共に学生服として代表的に多用されているものである。
ところで、服装は、ファッションが最も影響を受けるものであるが、学生服は、学校が指定した制服が多く、一定の規格を備えたものである。【０００３】  しかし、ファションを追い求める学校服着用の若者は、こうした一定規格の製服のもとでも、幾つかの変化（アレンジ）を試みようとしており、その一つに、最近の傾向として、スカートの丈を短くするという流れがあり、その一つの方法として、図６に示すスカート７のベルト６を、図７に示すように、表側（或いは表側）に折返し（湾曲矢印）、その分（ベルト６の幅の約３．５〜５ｃｍ）、スカート７の丈が短く（上向き矢印）なるようにするという方法が採られている。
また、もう一つの方法として、スカート７の裾のまつりを解き、たくし上げて、丈を短くしようという方法がある。【０００４】  このような方法でスカートの丈を短くすることで、学校服としての規格を逸脱し、特異なファッションを表すことは、一定規格を定めた各学校の趣旨に反するものであり、これを取り締まろうとすると、上述したベルトの折返しを基に戻して、簡単に本来の丈の長さに戻すことが出来て、現実的な制服指導面での取締りが出来ないというのが現状である。【０００５】  こうした従来技術のスカート丈を調節可能なベルトを備えたスカートとしては、次のものが知られている。
【特許文献１】特開平７−１４５５０４。これは、スカート地の上部を折り返してベルト地の間に挟み込み、その折返し分でスカート丈を長く調整できるようにしている。
【発明の開示】
【発明が解決しようとする課題】
【０００６】  上述の特許文献１にあるように、スカート生地の上部を折り返してゆとりを持たせ、これを解いて、その折返し分を長くすること、即ち、スカートの丈を長くするということは可能である。
しかし、本発明は、学生達が簡便に行っているスカートのベルトを折り返して丈を短くするという方法が簡単に行えないようにしたいと考えるものであり、こうしたベルトの折り曲げ防止という目的は、上記の従来技術では達成出来難いものである。【０００７】  また、スカートの裾のまつりを解き、ここを上げることでスカート丈を短くすることは可能であるが、このような方法は、縫製技術を必要とするもので、学生達が簡便に行い得ないものであるし、一旦、短く縫製してしまうと、学校の定期検査、或いは臨時の緊急検査に際して、簡便に基に戻すことは出来ず、規律違反が問われることなる。【０００８】  そもそも、スカート丈を短くするのに、ベルトを折返し、そのベルト幅分（１回の折り返しで約３．５〜５ｃｍ）だけ短くなるようにすることが可能であるのは、次の理由による。
即ち、スカートのベルトが、通常、かぎホックやアジャスターによって止められる構造を採っており、その受け金具の位置が調整可能な構造となっていて、基本的には、一旦定めたホック位置でホックが掛けられれば、それだけでスカートがズリ落ちることなく、腰に止まるようにされているものであり、このときの止まり具合には僅かの余裕があって、そのベルトを折り返した時に（１回又は２回）、ウエストのサイズが１乃至２ｃｍ短くなるが（インサイドベルトを備えた通常のベルトの場合）、この程度にウエストのサイズを縮少させることは、腹部に我慢出来ないほどの苦痛を与えるものではなく、許容の範囲であるからである。【０００９】  従って、学生達は、ベルトを１回或いは２回折り返すだけで、その折り返し分だけスカートの丈を簡便に短くして履くことが可能である（１回の折り返しで３．５〜５ｃｍ、２回の折返しでは８〜１０ｃｍ）。
また、前記かぎホックの受け金具の位置を最大限にズラせることによって、折り返しの余裕を更に確保することが出来る。【００１０】  本発明は、かかる問題に鑑み、第一に、プリーツスカートの丈を、ベルトを折り返すことで簡単に短くするということが出来ないようにすることを目的とし、また、第二に、裾のまつりを解いてたくし上げることで丈を短くするということが出来ないようにし、以って、ベルト折り曲げ防止（ウエスト折り曲げ防止）を目的とする。
【課題を解決するための手段】
【００１１】  本発明にかかるプリーツスカートの縫製方法は、上記目的を達成するために、プリーツスカートの縫製方法であって、
円筒状に互いに逢着したプリーツスカート表生地１及びプリーツスカート裏生地２を、その上端部１Ａ、２Ａを内側に折り返してプリーツ折り返し部３を形成し、
前記プリーツ折り返し部３に、該プリーツ折り返し部３が、ベルト６よりも下方に延長されている状態でベルト６を逢着する、
という手段を講じた。【００１２】  そして、本発明にかかるプリーツスカートは、上記目的を達成するために、円筒状に互いに逢着したプリーツスカート表生地１及びプリーツスカート裏生地２の上端部１Ａ、２Ａを内側に折り返してプリーツ折り返し部３を設け、前記プリーツ折り返し部３の上端部３Ａにベルト６が逢着され、前記プリーツ折り返し部３が前記ベルト６よりも下方に延長されている、という手段を講じたものである。
【発明の効果】
【００１３】  本発明によれば、学生服等のプリーツスカートを、そのベルトの部分を折り返して丈を短くしようとしても、本発明による上部のプリーツ折り返し部の存在によって、現実に折り返しが出来ず、結果として丈を短くする、スカートの丈上げ防止を行うことが出来ないのであり、これによって、各学校の教員の制服指導が楽になるのである。【００１４】  即ち、プリーツスカートは、実施例において説明するように、プリーツ（襞）が、最も重なる位置では、生地が５枚重なるところがあるので（１６本プリーツの場合であるが、プリーツ数が増えれば重なりも増える）、もし、ベルトの部分を折り返ししようとすると、５枚分の生地の厚みがベルトの内側において増すことになり、これが、ベルトの内周に連続して形成されると、少なくとも５〜７ｃｍ程度（通常サイズの２サイズ程）以上のウエストの縮少に繋がることになるのである。
通常、かぎホックの位置が決定され、スカートがズリ落ちない通常の止め機能を発揮している状態において、上述のような数値の減少度合いが発生すれば、ベルトが腹部を強く圧迫することになって到底許容の範囲を超えることになり、従って、実際には折り返しを行い得ないものである。【００１５】  このように、プリーツスカートのプリーツ（襞）が重なるという構造的な特徴を利用して、プリーツ折り返し部を形成するという簡単な縫製方法によって、最近流行しているベルトを折り返す（反転させる）ことによりスカートの丈を短くするという方法が採れないようにすることが出来たのである。
尚、上記折り返し部は、ゆとりであるから、ベルトの逢着を解けば、丈を伸ばすことが簡単にできることは言うまでもない。
【発明の実施の態様】
【００１６】  本発明においては、上記プリーツスカート表生地１及びプリーツスカート裏生地２の下端部１Ｂ，２Ｂにおいて、所定の柄５が位置されているのが好ましい。
このように柄５が、スカートの裾の所定位置にあることは、まつりを解いて裾をたくし上げると柄５が見えなくなったり、欠けたりすることになり、これによって特定の柄５を必須とする学生服等のたくし上げを不能にするものであり、その結果、上方のベルトの折り返しと合わせて、上下の部分で丈を短くするのを防止することが出来る。
【実施例１】
【００１７】  以下、本発明にかかるプリーツスカートの縫製方法とプリーツスカートの好適実施例について、図面を参照して詳述する。
このプリーツスカートの縫製方法は、先ず、図１に示すように、円筒状に互いに逢着したプリーツスカート表生地１及びプリーツスカート裏生地２を、その上端部１Ａ、２Ａを内側に所定長さＬだけ折り返してプリーツ折り返し部３を形成する。図１では、裏生地２が折り返しを終えていない状態で示されている。そして、このプリーツスカート表生地１及びプリーツスカート裏生地２の裁断は、裾に特定の柄５（ここでは、織りによって入れられている）が位置されるように行われる。【００１８】  次に、スカートの内側から見た図２に示すように、前記プリーツ折り返し部３の、折り返しされた状態の上端部３Ａの表側に、インサイドベルト４Ｂを逢着したベルト布４の一側辺４Ａを逢着する。ここでは、仮想線で示すように、ベルト布４が後に、下方に下げられて折り返し部３の上端部３Ａに逢着される。
即ち、図３に示すように、前記ベルト布４を反転させて前記プリーツ折り返し部３の上端部３Ａの裏側に逢着してベルト６を完成させるのであり、前記プリーツ折り返し部３が前記ベルト６よりも下方に延長されるようにして縫製を行う。
これにより、前記折り返し部３は、図４に示すように、スカートの内側で、プリーツが多いところで５重に重なっている状態が生まれる。
【実施例２】
【００１９】  ここでは、上記ベルト６の逢着構造が異なるプリーツスカートについて説明する。
このプリーツスカートの縫製方法は、先ず、実施例１において説明、理解される関連の図示は省略するが、円筒状に互いに逢着したプリーツスカート表生地１及びプリーツスカート裏生地２（この図番部材の図示は省略）を、図５に示すように、その上端部１Ａを内側に所定長さＬだけ折り返してプリーツ折り返し部３を形成する。【００２０】  次に、前記プリーツ折り返し部３の上端部３Ａの表側に、インサイドベルト４Ｂを逢着したベルト布４を裏返してその一側辺４Ａを逢着する。
次いで、前記ベルト布４を反転させて前記プリーツ折り返し部３の上端部３Ａの裏側に逢着してベルト６を完成し、前記プリーツ折り返し部３が前記ベルト６よりも下方に延長されているようにして行う。
これにより、前記ベルト６が、前記折り返し部３の上部の一部分を挟んだ状態となり、その下部は、このベルト６よりも更に下方に延びた状態となる。【００２１】  このように、ベルト６がプリーツスカート表生地１及びプリーツスカート裏生地の折り返し部分を挟んだ状態に縫製したものであるが、この場合であっても、前記折り返し部３がベルト６の下方に伸びているならば、ベルト６の折り返しを行おうとすると、そのプリーツの重なりによって、ウエストのサイズが大幅に激減し、実質的に折り返し（反転）が出来なくなるものであり、本発明の目的は達成される。【００２２】  この実施例においても、スカートの裾に特定の柄（実施例１の図１における柄５）が位置するように生地の裁断を行うのが好ましい。これによって、裾のまつりを解いて丈を短くしようとしても、柄５が欠けたり見えなくなったりするので、こうした改変を未然に回避できることになり、裾の丈上げ防止を行い得る。
【産業上の利用可能性】
【００２３】  本発明によれば、ベルトを折返す等の簡便な手法でスカート丈を短くするのを未然に回避できるので、寸法、特に、丈の寸法規格が定められているプリーツスカートの学生服等に適用すれば、各学校規格を遵守できることになり、その他、これに類した規格制服に適合できるものである。
【図面の簡単な説明】
【００２４】
【図１】実施例１のプリーツスカートの全体の斜視図である。
【図２】実施例１のプリーツスカートの要部の斜視図である。
【図３】実施例１のプリーツスカートの要部の縦断側面図である。
【図４】実施例１のプリーツスカートの要部の斜視図である。
【図５】実施例２のプリーツスカートの要部の縦断側面図である。
【図６】従来技術を示すプリーツスカートの要部の縦断側面図である。
【図７】従来技術を示すプリーツスカートの要部の縦断側面図である。
【符号の説明】
【００２５】１：プリーツスカート表生地
１Ａ：上端部
１Ｂ：下端部
２：プリーツスカート裏生地
２Ａ：上端部
２Ｂ：下端部
３：プリーツ折り返し部
５：柄
６：ベルト
【図１】
2006028719.tif 000003
【図２】
2006028719.tif 000004
【図３】
2006028719.tif 000005
【図４】
2006028719.tif 000006
【図５】
2006028719.tif 000007
【図６】
2006028719.tif 000008
【図７】
2006028719.tif 000009